(57)【要約】【課題】  窃盗現場、車上荒し現場、ストーカー行為の現場、或いは強盗等の凶悪犯罪に際して、その画像データを主体とする情報を、前記カメラ付携帯電話機にて撮影し、その撮影した情報を予め定められたセキュリティ集中管理センターへ自動的或いは手動的に送信するので、必要時に情報を取り出して、各種犯罪を防止または抑止し、犯行者を摘発、逮捕することが出来る。【解決手段】  カメラ付き携帯電話機の特定シャッターボタンで撮影・録画された画像データまたは該画像データと音声データを、セキュリティセンターへ送信すると共に、セキュリティセンターに各種情報がファイルされ、セキュリティセンターに送信される各種情報は、画像データまたは画像データと音声データ、場所、日時、送信者番号がファイルされ、一定期間セキュリティセンターに保管され、必要時にファイルされた情報を開示する。【選択図】  図１
2005252652.tif 000002
【特許請求の範囲】
【請求項１】
カメラ付き携帯電話機の特定シャッターボタンで撮影・録画された画像データまたは該画像データと音声データを、セキュリティセンターへ送信すると共に、セキュリティセンターに各種情報がファイルされることを特徴とする携帯電話機を利用するセキュリティ集中管理システム。
【請求項２】
セキュリティセンターに送信される各種情報は、画像データまたは画像データと音声データ、場所、日時、送信者番号がファイルされ、一定期間セキュリティセンターに保管され、必要時にファイルされた情報を開示することを特徴とする請求項１記載の携帯電話機を利用するセキュリティ集中管理システム。
【発明の詳細な説明】
【技術分野】
【０００１】
この発明はカメラ付き携帯電話機を利用して、非常事態が発生した特定現場、場面の状況を捉え、その適格な情報を一定場所へ送信し、各種の犯罪行為を未然に防止し、また抑止すると共に、犯行者を摘発し得る携帯電話機を利用するセキュリティ集中管理システムに関する。
【背景技術】
【０００２】
従来より使用される携帯電話機は単に電話として用いられるばかりでなく、それ自体にカメラ機能を保持させて、撮影、録画された画像データ、或いは映像データを携帯電話機そのものに取り込んだり、または相手先へ当該データを送信する等、あらゆる機能を備え、放送や新聞と同様広く一般に浸透した存在となっている。
【０００３】
斯様な携帯電話機は、昨今ほとんどの人が所持する時代となり、その利便性から携帯電話機そのものにセキュリティ性を保持させて、近時多発している窃盗、車上狙い、ストーカー行為或いは強盗等の凶悪犯罪を未然に防止或いは阻止することが提案されているが、未だに有効なセキュリティシステムは開発されておらず、優れたセキュリティ性を発揮し得る携帯電話機が待ち焦がれているところである。防犯の意味から、鋭く大きな音が発生する携帯用防犯グッズ等によって、婦女子等は身の保全を図っているが、万全とは謂えない現況である。
【０００４】
防犯機能を持たせた携帯電話機としては、例えば特開２０００−１９６７１８号公報には、鋭く大きな音が発生する防犯ベルの機能を持たせたものが公開されるが、これは近辺に人が居る場合には有効となるが、周囲に存在しない場合には有効とは謂えない。また特開２００１−１７７６１１号公報には、非常事態が発生した際に、携帯電話機の警報用暗証番号を入力することで、警察へ自動通報したり、防犯ブザーが発生するものが公開されるが、例えば移動体通信網のサービス圏外に居る時には少なくとも通報することは不能であり、非常事態発生現場の正確なる状況を記憶して通報し得ない欠陥を備えている。また特開２００３−２１７０６０号公報には、移動体通信網のサービス圏外で非常事態が発生しても、正確な発生現場の状況を通報しようとするもので、携帯電話機本体の非常ボタンを押した際は、サービス圏内の時は、直ちに緊急呼を自動発信し、警察署からの信号に応じて画像データ等を警察署に送信するが、サービス圏外の時は、情報を一担記憶し、サービス圏内に入った時に警察署へ送信する、と謂うものが公開されるが、緊急事態に非常ボタンを押すことで緊急呼を自動的に発信して、警察署へダイレクトに送信されるため、誤認による、また誤った通報であっても、有効にこれを選択すること無く警察署へ強制的に送信され、正確な情報と誤まった情報をその都度選別しなければならず、頗る煩雑化を余儀無くされるものである。また近時、車両盗難や車上荒しの多発から、車両内に小型カメラを付設しておき、盗難或いは車上荒しに遭遇した際に、犯人を備え付けの小型カメラにて撮影すると共に、この撮影された画像データが手持ちの携帯電話機へ自動送信されるシステムが開発されている。このシステムにあっては、犯人を車内付設の小型カメラで撮影して、その撮影された画像データを、車両所有者の携帯電話機へ送信するに過ぎず、携帯電話機の他に小型カメラや車載情報端末等の新たな部品が必要となり、付設するためのコストが高くなり、且つの盗難や車上荒しに限定されるもので、使用場所が頗る狭く制限されたものである。
【特許文献１】特開２０００−１９６７１８号公報
【特許文献２】特開２００３−２１７０６０号公報
【発明の開示】
【発明が解決しようとする課題】
【０００５】
然るにこの発明が茲に開発した携帯電話機を利用するセキュリティ集中管理システムにあっては、既述従来の欠陥に鑑みて、鋭意研究の結果に開発されたものであって、カメラ付携帯電話機を利用して、窃盗現場、車上荒し現場、ストーカー行為の現場、或いは強盗等の凶悪犯罪に際して、その犯行現場や犯行時間、犯行車の顔写真等の画像データを主体とする情報を、前記カメラ付携帯電話機にて、当事者または他人が撮影し、その撮影した情報を予め定められたセキュリティ集中管理センターへ自動的或いは手動的に送信し、該セキュリティ集中管理センターに各種の情報がファイル化され、必要時には当該情報を取り出して、各種犯罪を防止または抑止し、犯行者を摘発、逮捕出来る携帯電話機を利用するセキュリティ集中管理システムを提供することを目的とする。
【課題を解決するための手段】
【０００６】
上記した目的を有効に達成するがために、本発明による携帯電話機を利用するセキュリティ集中管理システムにあっては、カメラ付き携帯電話機の特定シャッターボタンで撮影・録画された画像データまたは該画像データと音声データを、セキュリティセンターへ送信すると共に、セキュリティセンターに各種情報がファイルされる携帯電話機を利用するセキュリティ集中管理システムを特徴としており、またセキュリティセンターに送信される各種情報は、画像データまたは画像データと音声データ、場所、日時、送信者番号がファイルされ、一定期間セキュリティセンターに保管され、必要時にファイルされた情報を開示する携帯電話機を利用するセキュリティ集中管理システムを特徴とするものである。
【発明の効果】
【０００７】
本発明によれば、窃盗現場、車上荒し現場、ストーカー行為の現場、或いは強盗等の凶悪犯罪に際して、その画像データを主体とする情報を、前記カメラ付携帯電話機にて撮影し、その撮影した情報を予め定められたセキュリティ集中管理センターへ一担自動的或いは手動的に送信するので、必要時に情報を取り出して、各種犯罪を防止または抑止し、犯行者を摘発、逮捕することが出来、誤認された情報や誤まった情報をデータ取り出し時に有効に選別することが出来る。またシャッターボタンを押すと同時にセキュリティセンターへ送信済みとなるので、携帯電話機が破壊されても問題はなく、データとして保存出来る。
【実施例】
【０００８】
次いでこの発明になる携帯電話機を利用するセキュリティ集中管理システムに関する実施の一例について詳述する。
【０００９】
カメラ付携帯電話機１ａを所持中に、窃盗現場、車上荒し現場、コンビニエンス・ストア荒し現場、その他の犯罪行為に該当する現場に遭遇した際、カメラ付携帯電話機のカメラを起動させて、被写体に向って予め定められた所望のシャッターボタンを押すことで、このカメラ付携帯電話機によって撮影若しくは録画させた画像データ、映像データは、瞬時にしてカメラ付携帯電話機の使用者と契約された、一定のセキュリティ集中管理センター２へと、情報として送信され、同センター２内にファイルされる。
【００１０】
セキュリティ集中管理センター２内にファイルされる各情報は、カメラ付携帯電話機１ａの多数の使用者であるカメラ付携帯電話機群１が、必要時には夫々セキュリティ集中管理センター２へ、その都度送信されファイルされることとなる。
【００１１】
斯かる各情報は、画像データまたは画像データと音声データ、場所、日次、送信者番号と共にファイルされ、定められた一定の期間を設定して、セキュリティ集中管理センター２に保管される。
【００１２】
セキュリティ集中管理センター２に保管された各種情報は、必要が生じた際には、送信者番号やユーザー番号等々を予め決定しておき、その番号を告知、送信することで、撮影者本人や警察３、その他承諾があった者へ、その情報である画像データ、映像データを開示し、もって一定の捜査を通して犯人検挙へと結び付けようとする携帯電話機を利用するセキュリティ集中管理システムである。
【００１３】
またこのセキュリティ集中管理システムは、我が国のみならず、全世界のセキュリティセンターを対称として実施することが出来、国際犯人の検挙にも優れたシステムである。
【図面の簡単な説明】
【００１４】
【図１】フローチャートである。
【符号の説明】
【００１５】
１    カメラ付携帯電話機群
１ａ  カメラ付携帯電話機
２    セキュリティ集中管理センター
３    警察または本人
【図１】
2005252652.tif 000003